(57)【要約】【課題】  ブラジャー部の下側にウエスト調整部を延ばしたビスチェであって、腹が出っ張った人やウエスト周りの大きな人であっても着用できるビスチェの提供。【解決手段】  ブラジャー部１及びウエスト調整部２の正面を開口し、ウエスト調整部２の開口縁６ａ，６ｂには逆Ｖ形の調整布７を連結し、そして調整布７の両片９ａ，９ｂ内縁に沿って設けた複数の穴に１本の紐８をジグザグを成して挿通し、該紐８を締めることで両片９ａ，９ｂ間の空間１３を調整可能としている。【選択図】    図１
2010196195.tif 000002
【特許請求の範囲】
【請求項１】
ブラジャー部の下側にウエスト調整部を延ばし、バストと腹及びウエストをサポートするビスチェにおいて、上記ブラジャー部及びウエスト調整部の正面を開口し、ウエスト調整部の開口縁には逆Ｖ形の調整布を連結し、そして調整布の両片内縁に沿って設けた複数の穴に１本の紐をジグザグを成して挿通し、該紐を締めることで両片間の空間を調整可能としたことを特徴とするビスチェ。
【請求項２】
ブラジャー部の下側にウエスト調整部を延ばし、バストと腹をサポートするビスチェにおいて、上記ブラジャー部及びウエスト調整部の正面を開口し、ウエスト調整部の開口縁には逆Ｖ形の調整布を連結し、そして調整布の両片内縁に沿って設けた複数の穴に１本の紐をジグザグを成して挿通し、該紐を締めることで両片間の空間を調整可能としたことを特徴とするビスチェ。
【請求項３】
ウエスト調整部の両開口縁にはフック−アイを取付け、調整布の両片に取付けたフック−アイを係止して連結した請求項１、又は請求項２記載のビスチェ。
【請求項４】
上記調整布の両片間であって紐の内側には薄い生地を縫付けて空間を埋めた請求項１、請求項２、又は請求項３記載のビスチェ。
【発明の詳細な説明】
【技術分野】
【０００１】
本発明は腹周りやウエスト周りが大きくなっても着用することが出来ると共に、デザインをも考慮したビスチェに関するものである。
【背景技術】
【０００２】
ビスチェとは肩紐が外せるタイプのカップ付のキャミソールであり、むしろロングブラジャーと言うことも出来る。そして、背後に４〜６段のホックを備えて身体に合うように調整することが出来る。従って、カップ付きキャミソールより安定し、シルエットも綺麗である。さらに、補正下着ほど値段が高くない為に、若い女性の間では人気がある下着の１つである。
【０００３】
図５は従来のビスチェを示す具体例であり、同図に示すようにブラジャー部（イ）にウエスト調整部（ロ）が組み合わされた形態としている。ブラジャー部（イ）の両カップ（ハ）、（ハ）とウエスト調整部（ロ）の背面上縁を連結する肩紐（ニ）、（ニ）が取付けられている。ブラジャー部（イ）に設けている両カップ（ハ）、（ハ）はバストを保持することが出来、そしてウエスト調整部（ロ）が下方へ延びていることで、腹からウエストにかけて引締めることが可能と成る。
【０００４】
又、さらに矯正用の下着には、ヒップも引き締めることが出来るように、上記ウエスト調整部（ロ）の下方にヒップ調整部を設けたボディガードルも多用されている。ところで、図５（ｂ）にはビスチェの背面図を表しているが、複数のホック（ホ）、（ホ）・・を取付けている。しかも、これらホック（ホ）、（ホ）・・・は複数段を成して設けられ、着用する人の腹周りやウエストサイズに合わせてホック（ホ）、（ホ）・・を掛けることが出来る。
【０００５】
しかし、背面にホック（ホ）、（ホ）・・・を設けていることで掛け難いことは事実であるが、複数段にホックを設けても体形に合わせることが容易でないことも多い。そこで、ホックの代わりに紐で締めることが出来るように構成したビスチェもあるが、背面側に設けたのでは締め付けが面倒である。
【０００６】
そこで、該ホック（ホ）、（ホ）・・・を正面側に設けるならば、簡単に掛けることが出来、着用も便利になるが、ファッション性が要求される下着の１つであるビスチェの場合、正面にホック（ホ）、（ホ）・・・を複数段を成して設けることは好ましくない。しかも、正面にホック（ホ）、（ホ）・・・を複数段を成して設けても、腹が飛び出た体形に合わせることは容易でない。
【発明の開示】
【発明が解決しようとする課題】
【０００７】
このように、従来のビスチェには上記のごとき問題がある。本発明が解決しようとする課題はこの問題点であり、腹が出っ張った体形の人やウエスト周りが大きくなった人でも着用することが出来るビスチェを提供する。
【課題を解決するための手段】
【０００８】
本発明に係るビスチェはブラジャー部とウエスト調整部から成り、その基本形態は従来と同じであるが、調整が正面にて出来るように構成している。従って前開き形態とし、両開口縁には複数のフック−アイが１列に配列して取付けられている。そして、本発明では両開口縁に設けているホックを互いに係止することが出来ると共に、必要に応じて間に調整布を取付けることが可能な形態と成っている。
【０００９】
調整布の形状は概略逆Ｖ形を成して、その両片の外縁にフックとアイを取付けており、このフックとアイが上記ウエスト調整部の開口縁に設けているアイとフックに係止して連結される。又、逆Ｖ形の両片内縁に沿って複数の穴が設けられ、この穴に１本の紐がジグザグに挿通され、該紐を締めることで両片の間隔を縮めることが出来る。
【００１０】
そして、両片の間であってジグザグを成した紐の内側には薄い生地が縫付けられていて、両片間に形成される空間を塞いでいる。ところで、ウエスト調整部は腹からウエストにかけての領域をサポートすることが出来るが、長さを短くしてウエストまで延ばさないで腹周りをサポートするように構成する場合もある。又、調整布を開口縁に連結する手段としてフック−アイの他に、マジックテープ（登録商標）やボタンを使用してもよい。
【発明の効果】
【００１１】
本発明に係るビスチェはウエスト調整部の正面が開口し、この開口に調整布を連結している。そして、調整布の両片内縁に設けた複数の穴にはジグザグを成して紐が挿通されることで、紐を締めるならば両片の間隔が縮まってウエスト調整部の周長が調整される。すなわち、紐を適当に締めるならば、ウエストの締まり具合が最適となる。又、腹が出っ張っている人であっても、紐を適度に弛めることでビスチェの着用が可能となる。
【００１２】
そして、概略逆Ｖ形をした調整部の両片に沿って設けている複数の穴にジグザグを成して挿通している紐は、内側に縫付けている薄い生地によって紐の隙間から肌が露出することはなく、薄い生地が紐の隙間から見えることで下着としてのファッション性が向上する。
【実施例】
【００１３】
図１は本発明に係るビスチェを表している実施例である。同図の１はブラジャー部、２はウエスト調整部を示し、該ブラジャー部１は対を成す２個のカップ３，３を有し、カップ３，３の上縁には肩紐４，４の一端が連結し、肩紐４，４の他端はウエスト調整部２の背面側上縁に取付けた連結具と連結している。そこで、このビスチェを着用する場合には、ウエスト調整部２の正面を開口して、バスト及び腹部からウエストにかけてサポートされる。この場合、両カップ３，３も互いに分離できるように係止具５ａ，５ｂが外される。ここで、ウエスト調整部２の長さを短くする場合には、ウエストまで届かないこともある。
【００１４】
ところで、本発明のビスチェは正面が開口すると共に、両開口縁６ａ，６ｂの間には調整布７が介在して上記開口縁６ａ，６ｂと連結している。調整布７と開口縁６ａ，６ｂとはフック−アイを介して連結されるが、そこで開口縁６ａの内面にはカギ形をしたフックが取付けられ、開口縁６ｂの表面には半円形のアイが取付けられている。又、調整布７は概略逆Ｖ形を成した両片９ａ，９ｂを有しており、片方（左側）の片９ａには半円形のアイ１０が取付けられ、他方（右側）の片９ｂにはカギ形のフック１１が取付けられている。
【００１５】
そして、調整布７の両片間には１本の紐８がジグザグを成して取付けられ、該紐８を締めるならば両片９ａ，９ｂの間隔を縮めることが出来る。その結果、ウエスト調整部２の周長が小さくなり、ウエスト及び腹を適度に締めることが出来る。本発明のビスチェは腹が出っ張って腹周りの大きな人、腰に肉が付いてウエストの大きな人は、両開口縁６ａ，６ｂの間に調整布７を介在することで着用できる。しかも、ジグザグを成して掛け渡しされている紐８を弛めるならば、ウエスト周り及び腹周りの大きな人でも着用して窮屈感を覚えることはない。
【００１６】
そこで、腹が出っ張っていない人やウエスト周りの細い人は、該調整布７を使用する必要がない。図３に示すビスチェは該調整布７を使用することなく、両開口縁６ａ，６ｂをフック−アイを介して連結している場合である。概略逆Ｖ形の調整布８はフック−アイを介して両開口縁６ａ，６ｂと連結している為に、簡単に取外すことが出来る。
【００１７】
図４は調整布８を単独で表している具体例である。同図に示すように調整布７は概略逆Ｖ形を成し、両片９ａ，９ｂを有している。左側片９ａの表面には複数のアイ１０，１０・・・が取付けられ、右側片９ｂの裏面には複数のフック１１，１１・・・が取付けられている。そして、両片９ａ，９ｂの内縁には複数のリング１２，１２・・・が設けられ、これら各リング１２，１２・・・の穴には１本の紐８がジグザグを成して挿通している。
【００１８】
調整布７の両片９ａ，９ｂの間には空間１３が形成され、この空間１３の大きさは紐８を締めることで適度に調整することが出来る。そして、該空間１３には薄いレース生地１４が紐８の下側（内側）に縫付けられているが、空間１３の大きさが変化することを考慮してある程度のダブ付きをもっている。
【００１９】
ところで、図１に示している本発明のビスチェは、ウエスト調整部２の所々に湾曲自在で柔軟性のある骨１５，１５・・が縦方向に縫付けられ、又カップ３，３の下縁に沿って円弧状に湾曲した金属製のワイヤー１６、１６が取付けられている。しかし、これら骨１５，１５・・、ワイヤー１６，１６を取付けないで構成する場合もある。
【図面の簡単な説明】
【００２０】
【図１】本発明に係るビスチェを示す正面図。
【図２】本発明に係るビスチェを示す背面図。
【図３】調整布を取外した場合のビスチェを示す正面図。
【図４】調整布の具体例。
【図５】従来のビスチェを示す具体例。
【符号の説明】
【００２１】
１  ブラジャー部
２  ウエスト調整部
３  カップ
４  肩紐
５  骨
６  開口縁
７  調整布
８  紐
９  片
10  アイ
11  フック
12  リング
13  空間
14  レース生地
15  骨
16  ワイヤー
【図１】
2010196195.tif 000003
【図２】
2010196195.tif 000004
【図３】
2010196195.tif 000005
【図４】
2010196195.tif 000006
【図５】
2010196195.tif 000007